(57)【要約】【課題】電動工具への電力供給体の取り付け時における安全性を向上させる。【解決手段】モータと、第一操作部と、付勢部材と、第二操作部と、被係止部と、係止部と、電源接続部と、前記電力供給体の前記電源接続部への着脱と連動して前記係止部と前記被係止部が係合できる第一状態と前記係止部と前記被係止部が係合できない第二状態との間で切り替える切り替え部と、を備え、前記切り替え部は、前記電力供給体が前記電源接続部に取り付けられると前記第一状態に切り替え、且つ、前記電力供給体が前記電源接続部から取り外されると前記第二状態に切り替える。【選択図】図１
2020032483.tif 000002
【特許請求の範囲】
【請求項１】
モータと、
前記モータを作動させるＯＮ位置と前記モータを停止させるＯＦＦ位置との間を移動する第一操作部と、
前記第一操作部を前記ＯＦＦ位置側に付勢する付勢部材と、
前記第一操作部を前記ＯＮ位置にロックするためのロック位置と、前記ロック位置から離れたアンロック位置との間を移動する第二操作部と、
前記第一操作部と共に移動する被係止部と、
前記第二操作部と共に移動する係止部と、
前記モータに電力を供給するための電力供給体が着脱される電源接続部と、
前記電力供給体の前記電源接続部への着脱と連動して前記係止部と前記被係止部が係合できる第一状態と前記係止部と前記被係止部が係合できない第二状態との間で切り替える切り替え部と、を備え、
前記第一操作部は、前記第二操作部が前記ロック位置に移動され且つ前記係止部と前記被係止部が係合することによって、前記ＯＮ位置にロックされ、
前記切り替え部は、前記電力供給体が前記電源接続部に取り付けられると前記第一状態に切り替え、且つ、前記電力供給体が前記電源接続部から取り外されると前記第二状態に切り替える、電動工具。
【請求項２】
前記切り替え部は、前記被係止部を移動させることによって前記第一状態と前記第二状態に切り替える、請求項１記載の電動工具。
【請求項３】
前記被係止部は、前記第一操作部と共に移動するルートとして、前記係止部と係合できる第一ルートと、前記係止部と係合できない第二ルートとを有し、
前記切り替え部は、前記電力供給体が前記電源接続部に取り付けられると、前記被係止部を前記第一ルートに移動させ、前記電力供給体が前記電源接続部から取り外されると、前記被係止部を前記第二ルートに移動させる、請求項２記載の電動工具。
【請求項４】
前記第一操作部は、前記ＯＮ位置と前記ＯＦＦ位置との間を、第一軸方向に移動し、
前記第二操作部は、前記ロック位置と前記アンロック位置との間を、前記第一軸方向と直交する第二軸方向に移動し、
前記第二ルートは、前記第一ルートに対して、前記第一軸方向及び前記第二軸方向と直交する第三軸方向に離れている、請求項３記載の電動工具。
【請求項５】
前記切り替え部は、作業位置と待機位置との間を前記第三軸方向に移動する第一リンク及び第二リンクと、前記第一リンク及び前記第二リンクを前記待機位置側に付勢するリンク用の付勢部材とを備え、
前記第一リンクは、前記電力供給体によって押される受圧部を有し、前記第二リンクは、前記第二軸方向に沿った回動軸線まわりに回動するように前記第一リンクに連結され、前記第二リンクは、前記被係止部を有しており、
前記電力供給体が前記電源接続部に取り付けられると、前記第一リンクの前記受圧部が前記電力供給体に押されて前記第一リンク及び前記第二リンクが前記作業位置に移動することによって、前記被係止部が前記第一ルートに移動し、
前記電力供給体が前記電源接続部から取り外されると、前記リンク用の付勢部材が前記第一リンク及び前記第二リンクを前記待機位置に移動させることによって、前記被係止部が前記第二ルートに移動する、請求項４記載の電動工具。
【請求項６】
前記切り替え部は、前記係止部を移動させることによって前記第一状態と前記第二状態に切り替える、請求項１記載の電動工具。
【請求項７】
前記係止部は、前記第二操作部と共に移動するルートとして、前記被係止部と係合できる第一ルートと、前記被係止部と係合できない第二ルートとを有し、
前記切り替え部は、前記電力供給体が前記電源接続部に取り付けられると、前記係止部を前記第一ルートに移動させ、前記電力供給体が前記電源接続部から取り外されると、前記係止部を前記第二ルートに移動させる、請求項６記載の電動工具。
【請求項８】
前記第一操作部は、前記ＯＮ位置と前記ＯＦＦ位置との間を、第一軸方向に移動し、
前記第二操作部は、前記ロック位置と前記アンロック位置との間を、前記第一軸方向と直交する第二軸方向に移動し、
前記第二ルートは、前記第一ルートに対して、前記第一軸方向及び前記第二軸方向と直交する第三軸方向に離れている、請求項７記載の電動工具。
【請求項９】
前記切り替え部は、作業位置と待機位置との間を前記第三軸方向に移動する第一リンク及び第二リンクと、前記第一リンク及び前記第二リンクを前記待機位置側に付勢するリンク用の付勢部材とを備え、
前記第一リンクは、前記電力供給体によって押される受圧部を有し、前記第二リンクは、前記第一軸方向に沿った回動軸線まわりに回動するように前記第一リンクに連結され、前記第二リンクは、前記第二操作部と前記係止部とを有しており、
前記電力供給体が前記電源接続部に取り付けられると、前記第一リンクの前記受圧部が前記電力供給体に押されて前記第一リンク及び前記第二リンクが前記作業位置に移動することによって、前記係止部が前記第一ルートに移動し、
前記電力供給体が前記電源接続部から取り外されると、前記リンク用の付勢部材が前記第一リンク及び前記第二リンクを前記待機位置に移動させることによって、前記係止部が前記第二ルートに移動する、請求項８記載の電動工具。
【発明の詳細な説明】
【技術分野】
【０００１】
本発明は、電動工具に関し、具体的には、モータに電力を供給するための電力供給体が着脱される電動工具に関する。
【背景技術】
【０００２】
下記特許文献１の電動工具は、トリガスイッチを備えている。ユーザが、トリガを引いてトリガをＯＮ位置に位置させると、トリガスイッチがＯＮ状態となり、モータが作動する。電動工具は、トリガをＯＮ位置にロックするためのロックスイッチを備えている。ユーザがトリガを引いた状態でロックスイッチを押すと、トリガはＯＮ位置にロックされる。バッテリパックは、本体部のバッテリ装着部に着脱される。この電動工具では、トリガがＯＮ位置にロックされた状態で、バッテリパックが着脱される可能性がある。
【先行技術文献】
【特許文献】
【０００３】
【特許文献１】特開２０１６−４９５７７号公報
【発明の概要】
【発明が解決しようとする課題】
【０００４】
本発明は、電動工具への電力供給体の取り付け時における安全性を向上させることを課題とする。
【課題を解決するための手段】
【０００５】
本発明の電動工具は、モータと、前記モータを作動させるＯＮ位置と前記モータを停止させるＯＦＦ位置との間を移動する第一操作部と、前記第一操作部を前記ＯＦＦ位置側に付勢する付勢部材と、前記第一操作部を前記ＯＮ位置にロックするためのロック位置と、前記ロック位置から離れたアンロック位置との間を移動する第二操作部と、前記第一操作部と共に移動する被係止部と、前記第二操作部と共に移動する係止部と、前記モータに電力を供給するための電力供給体が着脱される電源接続部と、前記電力供給体の前記電源接続部への着脱と連動して前記係止部と前記被係止部が係合できる第一状態と前記係止部と前記被係止部が係合できない第二状態との間で切り替える切り替え部と、を備え、前記第一操作部は、前記第二操作部が前記ロック位置に移動され且つ前記係止部と前記被係止部が係合することによって、前記ＯＮ位置にロックされ、前記切り替え部は、前記電力供給体が前記電源接続部に取り付けられると前記第一状態に切り替え、且つ、前記電力供給体が前記電源接続部から取り外されると前記第二状態に切り替える。
【発明の効果】
【０００６】
本発明の電動工具によれば、電動工具への電力供給体の取り付け時における安全性を向上させることができる。
【図面の簡単な説明】
【０００７】
【図１】第一の実施形態における電動工具を左側から見た断面図。
【図２】図１の要部拡大図。
【図３】同電動工具の要部を左側から見た図。
【図４】図２のＡ−Ａ線の断面図。
【図５】同電動工具を左側から見た要部断面図。
【図６】図５のＢ−Ｂ線の断面図。
【図７】同電動工具を左側から見た要部断面図。
【図８】図７のＣ−Ｃ線の断面図。
【図９】同電動工具を左側から見た要部断面図。
【図１０】図９のＤ−Ｄ線の断面図。
【図１１】同電動工具の後端部を後側から見た図。
【図１２】同電動工具に接続される電源コードの要部を上側から見た図。
【図１３】同電源コードの要部を上側から見た断面図。
【図１４】同電源コードを端面から見た図。
【図１５】第二の実施形態における電動工具を左側から見た要部断面図。
【図１６】図１５のＥ−Ｅ線の断面図。
【図１７】図１６のＦ−Ｆ線の断面図。
【図１８】同電動工具の断面図。
【図１９】図１８のＧ−Ｇ線の断面図。
【図２０】同電動工具を左側から見た要部断面図。
【図２１】図２０のＨ−Ｈ線の断面図。
【図２２】図２１のＩ−Ｉ線の断面図。
【図２３】図２２の状態からロックボタンを押した状態を示す図。
【図２４】第三の実施形態における電動工具を左側から見た要部断面図。
【図２５】図２４のＪ−Ｊ線の断面図。
【図２６】同電動工具を左側から見た要部断面図。
【図２７】図２６のＫ−Ｋ線の断面図。
【図２８】同電動工具を左側から見た要部断面図。
【図２９】同電動工具を左側から見た要部断面図。
【図３０】第四の実施形態における電動工具を左側から見た要部断面図。
【図３１】同電動工具を左側から見た要部断面図。
【図３２】第五の実施形態における電動工具を後側から見た図。
【図３３】同電動工具の要部を上側から見た図。
【図３４】同電動工具を左側から見た要部断面図。
【図３５】同電動工具を後側から見た図。
【図３６】同電動工具の要部を上側から見た図。
【図３７】第六の実施形態における電動工具を後側から見た図。
【図３８】同電動工具を後側から見た図。
【発明を実施するための形態】
【０００８】
＜第一の実施形態＞
本実施形態の電動工具は、携帯用の電動工具である。電動工具は、代表的には、対象物を研磨する研磨工具（サンダ）や、対象物を研削する研削工具（グラインダ）、対象物を切断する切断工具、先端工具を容易に取り替えることができるマルチツール、対象物を切削する切削工具、対象物を攪拌する攪拌機がある。研磨工具としては、例えば、ベルトサンダやディスクサンダ、ポリッシャがある。研削工具としては、例えば、ディスクグラインダがある。切削工具としては、例えば、電動カンナや電動トリマー、電動彫刻刀、ルーターがある。切断工具としては、例えば、レシプロソーやジグソーがある。その他、電動工具は、インパクトドライバやインパクトレンチ、ドリル等でもよい。
【０００９】
図１〜図１４に本実施形態の電動工具を示している。図１及び図４において、矢印Ｘ１で示す方向を左側とし、矢印Ｘ２で示す方向を右側とし、矢印Ｙ１で示す方向を前側とし、矢印Ｙ２で示す方向を後側とし、矢印Ｚ１で示す方向を上側とし、矢印Ｚ２で示す方向を下側とする。本実施形態において、上下方向が第一軸方向であり、左右方向が第二軸方向であり、前後方向が第三軸方向である。第一軸方向、第二軸方向及び第三軸方向は、互いに直交している。
【００１０】
本実施形態の電動工具は、研磨工具であって、具体的にはポリッシャである。ユーザは、電動工具を手で把持して研磨作業を行う。電動工具は、本体１０と、電源コード１２とを備えている。図１〜図１１に本体１０を示している。図１２〜図１４に電源コード１２を示している。電源コード１２は、本体１０の後端部に着脱される。電源コード１２は、本体１０に電力を供給するための電力供給体である。尚、電力供給体は、バッテリパックであってもよい。
【００１１】
電源コード１２は、第一端部と、図示しない第二端部とを有している。電源コード１２は、第一端部にコネクタ１３を備え、第二端部に図示しないプラグを備えている。コネクタ１３は、本体１０に接続される。コネクタ１３は円柱状である。コネクタ１３は、一対のメス側の端子１４を備えている。コネクタ１３は、外周面に、抜け止め用の第一及び第二の係合凸部１５，１６を有している。第一及び第二の係合凸部１５，１６は、それぞれコネクタ１３の径方向に突出している。第一及び第二の係合凸部１５，１６は、互いに１８０度対向している。プラグは図示しない電源コンセントに差し込まれる。
【００１２】
＜ハウジング２０＞
本体１０は、中空状のハウジング２０を備えている。ハウジング２０は、ヘッド部２１と、把持部２２とを有している。ヘッド部２１の内部空間と把持部２２の内部空間は、互いにつながっている。ヘッド部２１は、把持部２２の前側に位置している。ヘッド部２１は、上下方向に延びる筒状である。把持部２２は、ヘッド部２１の上下方向の中間部から後側に向けて延びている。把持部２２は、前後方向に延びる筒状である。ユーザは、把持部２２を把持して研磨作業を行うことができる。把持部２２は、把持部２２の壁を上下方向に貫通する第一の貫通孔２４を有している。第一の貫通孔２４は、把持部２２の下面に位置している。把持部２２は、把持部２２の壁を左右方向に貫通する第二の貫通孔２６を有している。第二の貫通孔２６は、ハウジング２０の把持部２２の左側面に位置している。
【００１３】
＜電源接続部３０＞
ハウジング２０は、電源コード１２のコネクタ１３が着脱自在に取り付けられる電源接続部３０を有している。電源接続部３０は、本体１０の後端部に位置していると共にハウジング２０の後端部に位置している。電源接続部３０は、断面円形の凹部である。電源接続部３０は、ハウジング２０の後端面に開口部３１を有している。電源接続部３０には、コネクタ１３が前側に向けて差し込まれる。電源接続部３０の開口部３１は、コネクタ１３に対応した形状である。電源接続部３０の開口部３１は、径方向外側に拡大した第一及び第二の拡大部３２，３３を有している。第一の拡大部３２は、電源接続部３０の開口部３１の最上部に位置し、第二の拡大部３３は、電源接続部３０の開口部３１の最下部に位置している。
【００１４】
本体１０は、端子ホルダ３５を備えている。端子ホルダ３５は、ハウジング２０の電源接続部３０の最奧部に位置している。端子ホルダ３５は、ハウジング２０に回転可能に支持されている。端子ホルダ３５は、ハウジング２０に対して、前後方向に沿った軸線まわりに回転することができる。端子ホルダ３５に一対のオス側の端子３４が取り付けられている。一対のオス側の端子３４は、端子ホルダ３５と共に、ハウジング２０に対して回転できる。
【００１５】
電源接続部３０は、内周面に、抜け止め用の第一及び第二の係合溝３６，３７を有している。第一及び第二の係合溝３６，３７には、それぞれコネクタ１３の第一及び第二の係合凸部１５，１６が係合する。第一及び第二の係合溝３６，３７は、互いに１８０度対向している。第一及び第二の係合溝３６，３７は、それぞれ周方向に沿って略９０度の範囲で延びている。第一及び第二の係合溝３６，３７は、それぞれ第一端部３６Ａ，３７Ａと第二端部３６Ｂ，３７Ｂとを有している。第一端部３６Ａ，３７Ａは始端部であり、第二端部３６Ｂ，３７Ｂは終端部である。第一の係合溝３６の第一端部３６Ａと第二の係合溝３７の第一端部３７Ａは、それぞれハウジング２０の左右方向の中央に位置している。第一の係合溝３６の第一端部３６Ａは、ハウジング２０の後端面の上部に位置し、第二の係合溝３７の第一端部３７Ａは、ハウジング２０の後端面の下部に位置している。第一の係合溝３６の第一端部３６Ａと第二の係合溝３７の第一端部３７Ａは、それぞれ電源接続部３０の開口部３１の第一及び第二の拡大部３２，３３と前後方向に連通している。
【００１６】
コネクタ１３が電源接続部３０に差し込まれることにより、メス側の端子１４がオス側の端子３４に接続される。コネクタ１３の第一の係合凸部１５は、電源接続部３０の開口部３１の第一の拡大部３２から第一の係合溝３６の第一端部３６Ａに進入する。コネクタ１３の第二の係合凸部１６は、電源接続部３０の開口部３１の第二の拡大部３３から第二の係合溝３７の第一端部３７Ａに進入する。コネクタ１３を電源接続部３０に差し込んだ状態でコネクタ１３を前後方向の軸線まわりに回転させると、第一及び第二の係合凸部１５，１６は、それぞれ第一及び第二の係合溝３６，３７を摺動する。コネクタ１３を９０度回転させると、第一の係合凸部１５は第一の係合溝３６の第二端部３６Ｂに到達し、第二の係合凸部１６は第二の係合溝３７の第二端部３７Ｂに到達する。このようにコネクタ１３を電源接続部３０に差し込んで９０度回転させることにより、コネクタ１３が電源接続部３０から後側に抜けることが防止される。コネクタ１３が電源接続部３０に接続されることにより、電源コード１２を介して本体１０に電力が供給可能になる。
【００１７】
＜研磨パッド４０＞
本体１０は、被研磨物を研磨するための研磨パッド４０を備えている。研磨パッド４０は、円板状である。研磨パッド４０は、ハウジング２０のヘッド部２１の下側に位置している。研磨パッド４０は、上下方向の回転軸線を有している。
【００１８】
＜駆動部＞
本体１０は、研磨パッド４０を駆動するための駆動部を備えている。駆動部は、駆動源であるモータ４２と、モータ４２の回転を研磨パッド４０に伝達するための伝達機構４４とを備えている。モータ４２は、上下方向に沿った回転軸線を有している。モータシャフト４３は、モータ４２から下側に向けて延びている。モータ４２は、ハウジング２０のヘッド部２１に収容されている。
【００１９】
伝達機構４４は、モータ４２の下側に位置している。伝達機構４４は、ハウジング２０のヘッド部２１に収容されている。伝達機構４４は、主軸４６を備えている。主軸４６は、モータシャフト４３から駆動力を受けて回転する。主軸４６は上下方向の回転軸線を有している。主軸４６の下端部に研磨パッド４０が取り付けられる。研磨パッド４０は、主軸４６に着脱される。
【００２０】
＜トリガースイッチ＞
本体１０は、モータ４２を作動及び停止させるためのトリガースイッチを備えている。トリガースイッチは、スイッチ本体５２とトリガーレバー５４とを備えている。本実施形態において、トリガーレバー５４が第一操作部である。スイッチ本体５２は、ハウジング２０の把持部２２の前部に収容されている。スイッチ本体５２は、把持部２２に固定されている。図１のように、スイッチ本体５２は、モータ４２に通電するための図示しない電気回路と、トリガーレバー５４を付勢するための付勢部材としての第一のバネ５６とを備えている。
【００２１】
トリガーレバー５４は、スイッチ本体５２の下側に位置している。トリガーレバー５４は、ユーザによって、ハウジング２０の内外方向に操作される。トリガーレバー５４は、スイッチ本体５２に対してスライドする。トリガーレバー５４は、ＯＮ位置とＯＦＦ位置との間を上下方向にスライドする。ＯＮ位置は、上側の位置であり、ＯＦＦ位置は下側の位置である。トリガーレバー５４がＯＮ位置に位置すると、スイッチ本体５２の電気回路はＯＮの状態となる。トリガーレバー５４がＯＦＦ位置に位置すると、スイッチ本体５２の電気回路はＯＦＦの状態となる。図１〜図４、図７及び図８は、トリガーレバー５４がＯＦＦ位置に位置し、スイッチ本体５２の電気回路がＯＦＦの状態を示している。図５、図６、図９及び図１０は、トリガーレバー５４がＯＮ位置に位置し、スイッチ本体５２の電気回路がＯＮの状態を示している。第一のバネ５６は、トリガーレバー５４をＯＦＦ位置側に付勢している。
【００２２】
トリガーレバー５４は、レバー本体部５８とスライドバー部６０とを有している。レバー本体部５８は、ユーザによって操作される部分である。レバー本体部５８は、把持部２２の第一の貫通孔２４に位置している。レバー本体部５８の下部は、第一の貫通孔２４から下側に突出している。レバー本体部５８の突出量は、トリガーレバー５４の上下方向の移動によって変化する。レバー本体部５８の突出量は、ＯＦＦ位置において最大となり、ＯＮ位置において最小となる。ＯＦＦ位置において、レバー本体部５８の大部分が把持部２２から下側に突出している。ユーザは、把持部２２を把持した状態において、レバー本体部５８の下面を上側に引く操作を行う。
【００２３】
スライドバー部６０は、レバー本体部５８の上側に位置する。スライドバー部６０は、レバー本体部５８の上面から上側に向けて延びている。スライドバー部６０は、上下方向に沿った棒状である。スライドバー部６０の上部はスイッチ本体５２の内部に進入している。トリガーレバー５４が上下方向にスライドする際に、スイッチ本体５２がスライドバー部６０の上部を案内し、把持部２２の第一の貫通孔２４の壁面がレバー本体部５８を案内する。第一のバネ５６は、スライドバー部６０を下側に押している。スライドバー部６０は、左側面に凹部６４を有している。凹部６４は、スライドバー部６０の左側面を前後方向に横断している。凹部６４の上側の壁面は、下側に向けて湾曲する湾曲面を有している。凹部６４の下側の壁面は、上側に向けて湾曲する湾曲面を有している。
【００２４】
＜ロックボタン７０（第二操作部）＞
本体１０は、トリガーレバー５４をＯＮ位置にロックするためのロックボタン７０を備えている。本実施形態において、ロックボタン７０が第二操作部である。ロックボタン７０は、トリガーレバー５４に対して接近離反する。具体的には、ロックボタン７０は、左右方向に沿ってスライドする。ロックボタン７０は、ハウジング２０の把持部２２の左側面に位置している。ロックボタン７０は、柱状である。ロックボタン７０は、把持部２２の第二の貫通孔２６に挿入されている。ロックボタン７０は、把持部２２に支持されている。ロックボタン７０は、把持部２２に対して左右方向にスライドする。ロックボタン７０のスライド方向は、把持部２２の内外方向である。
【００２５】
ロックボタン７０は、ロック位置とアンロック位置との間をスライドする。ロック位置は、アンロック位置に対して、右側に位置している。ロックボタン７０は、トリガーレバー５４のスライドバー部６０の左側に位置している。ロックボタン７０の中心線の延長線上に、トリガーレバー５４のスライドバー部６０が位置する。ロック位置は、トリガーレバー５４のスライドバー部６０に接近した位置である。アンロック位置は、トリガーレバー５４のスライドバー部６０から離れた位置である。本体１０は、ロックボタン７０をアンロック位置側に付勢するための付勢部材である第二のバネ７２を備えている。第二のバネ７２は、ハウジング２０の第二の貫通孔２６に位置している。ユーザがロックボタン７０をハウジング２０の内側に向けて押すと、ロックボタン７０はロック位置となる。ロックボタン７０は、第一端部と第二端部とを有している。ロックボタン７０の第一端部は、ロックボタン７０の左端部であり、外側の端部である。ロックボタン７０の第二端部は、ロックボタン７０の右端部であり、内側の端部である。ロックボタン７０の左端部は、ハウジング２０の外部に露出している。ロックボタン７０の右端部は、ハウジング２０の内部に位置している。ロックボタン７０は、係止部７４を有している。係止部７４は、ロックボタン７０の右端部に位置している。係止部７４は、ロックボタン７０と一体である。
【００２６】
＜切り替え部＞
本体１０は、切り替え部を備えている。切り替え部は、電源コード１２の電源接続部３０への着脱と連動して、係止部７４と被係止部８０が係合できる第一状態と、係止部７４と被係止部８０が係合できない第二状態との間で切り替える。切り替え部は、被係止部８０を前後方向に移動させることによって第一状態と第二状態とを切り替える。切り替え部は、電源コード１２が電源接続部３０に取り付けられると、被係止部８０を前側に移動させて第二状態から第一状態に切り替える。切り替え部は、電源コード１２が電源接続部３０から取り外されると、被係止部８０を後側に移動させて第一状態から第二状態に切り替える。
【００２７】
切り替え部は、ハウジング２０の把持部２２に収容されている。切り替え部は、第一リンクとしての後リンク８２と、第二リンクとしての前リンク８４と、後リンク８２を後側に付勢するための第三のバネ９０とを備えている。第三のバネ９０は、後リンク８２を後側に付勢するリンク用の付勢部材である。後リンク８２と前リンク８４は、トリガーレバー５４と電源接続部３０との間に位置している。後リンク８２と前リンク８４は、一括して、前後方向に移動する。後リンク８２と前リンク８４は、作業位置と待機位置との間を前後方向に移動する。作業位置は、待機位置に対して前側に位置している。コネクタ１３が本体１０に接続されると、後リンク８２と前リンク８４は、作業位置に位置する。コネクタ１３が本体１０から取り外されると、後リンク８２と前リンク８４は、待機位置に位置する。
【００２８】
後リンク８２は、前リンク８４の後側に位置している。後リンク８２は、前後方向に延びている。後リンク８２は、第一端部と第二端部とを有している。後リンク８２の第一端部は前端部であり、後リンク８２の第二端部は後端部である。後リンク８２は、後端部に、受圧部８６を有している。受圧部８６は、板状である。受圧部８６の後面は、前後方向に対して直交した平面である。後リンク８２の受圧部８６の一部は、ハウジング２０の電源接続部３０の内側に突出している。後リンク８２は、バネ受け用の突部８８を有している。第三のバネ９０は、後リンク８２のバネ受け用の突部８８の前側に位置していて、バネ受け用の突部８８を後側に付勢する。後リンク８２は、ハウジング２０に案内されて前後方向にスライドする。
【００２９】
前リンク８４は、後リンク８２の前端部に連結されている。前リンク８４は、後リンク８２に対して回動する。前リンク８４は、左右方向に沿った回動軸線８４Ａを有している。前リンク８４は、第一端部と第二端部とを有している。第一端部は前端部であり、第二端部は後端部である。前リンク８４の後端部が後リンク８２の前端部に連結されている。前リンク８４は、後リンク８２の前端部を支点として、上下方向に回動する。
【００３０】
前リンク８４の前部は、トリガーレバー５４の凹部６４に進入している。前リンク８４の前部は、トリガーレバー５４の凹部６４を前後方向に挿通している。前リンク８４の上面は、トリガーレバー５４の凹部６４の上側の壁面に接触する。前リンク８４の下面は、トリガーレバー５４の凹部６４の下側の壁面に接触する。トリガーレバー５４の上下方向のスライドに追随して、前リンク８４は上下に回動する。図２及び図７のようにトリガーレバー５４がＯＦＦ位置に位置している状態では、前リンク８４は前傾姿勢となる。図５及び図９のようにトリガーレバー５４がＯＮ位置に位置している状態では、前リンク８４は、略水平な姿勢となる。
【００３１】
前リンク８４は、被係止部８０を有している。被係止部８０は、前リンク８４の前端部の近傍に位置している。被係止部８０は、前リンク８４と一体であり、トリガーレバー５４とは別体である。被係止部８０は、前リンク８４の左側面から左側に向けて突出している。図７及び図９のように後リンク８２と前リンク８４が待機位置に位置する状態では、被係止部８０は、トリガーレバー５４のスライドバー部６０よりも後側に離れて位置している。図２及び図５のように後リンク８２と前リンク８４が作業位置に位置する状態では、被係止部８０とトリガーレバー５４のスライドバー部６０は、前後方向の位置が同じである。後リンク８２と前リンク８４が作業位置に位置する状態では、被係止部８０は、トリガーレバー５４のスライドバー部６０の左側に位置する。
【００３２】
被係止部８０は、トリガーレバー５４と共に上下に移動する。被係止部８０は、トリガーレバー５４と共に上下に移動するルートとして、第一ルートと第二ルートとを有している。第一ルートは、第二ルートから前側に離れている。切り替え部は、コネクタ１３の本体１０への着脱動作と連動して、被係止部８０を前後方向に移動させて、被係止部８０のルートを切り替える。図２及び図５のように後リンク８２と前リンク８４が作業位置に位置しているとき、被係止部８０は、第一ルートに位置する。トリガーレバー５４の上下方向の移動に伴って、被係止部８０は、第一ルートを移動する。第一ルートは、トリガーレバー５４のスライドバー部６０及びロックボタン７０と、前後方向の位置が同じである。第一ルートにおいては、トリガーレバー５４がＯＮ位置に位置した際に、被係止部８０は、係合位置に位置する。係合位置は、被係止部８０と係止部７４とが互いに係合する位置である。図５において、被係止部８０は係合位置に位置している。
【００３３】
図７及び図９のように後リンク８２と前リンク８４が待機位置に位置しているとき、被係止部８０は、第二ルートに位置する。トリガーレバー５４の上下方向の移動に伴って、被係止部８０は、第二ルートを移動する。第二ルートは、トリガーレバー５４のスライドバー部６０及びロックボタン７０よりも後側に離れている。第二ルートにおいては、トリガーレバー５４がＯＮ位置に位置した際に、被係止部８０は、非係合位置に位置する。非係合位置は、被係止部８０と係止部７４とが互いに係合しない位置である。非係合位置は、係合位置よりも後側に離れている。図９において、被係止部８０は非係合位置に位置していて、被係止部８０は、係止部７４に対して後側に離れている。このように、切り替え部は、コネクタ１３が電源接続部３０に取り付けられた状態では、被係止部８０を第一ルートに位置させ、コネクタ１３が電源接続部３０から取り外された状態では、被係止部８０を第二ルートに位置させる。
【００３４】
＜動作＞
次に、電動工具の動作について説明する。図７〜図１０は、コネクタ１３が本体１０に接続されていない状態を示している。図７及び図８はトリガーレバー５４がＯＦＦ位置に位置する状態を示している。前リンク８４の前部はトリガーレバー５４と共に下側に移動していて、前リンク８４は前傾姿勢となっている。後リンク８２と前リンク８４は待機位置に位置している。後リンク８２の受圧部８６は、ハウジング２０に当接している。ハウジング２０により、後リンク８２は後側に移動できない。被係止部８０は、トリガーレバー５４のスライドバー部６０よりも後側に位置している。被係止部８０は、ロックボタン７０に対して後側に離れた状態にあり、被係止部８０は係止部７４よりも後側に離れている。
【００３５】
図９及び図１０は、トリガーレバー５４がＯＮ位置に位置する状態を示している。トリガーレバー５４が上昇すると、前リンク８４の前部はトリガーレバー５４と共に上側に移動し、前リンク８４は略水平な姿勢となる。被係止部８０は、トリガーレバー５４と共に上昇する。被係止部８０は、トリガーレバー５４のスライドバー部６０よりも後側に位置していて、被係止部８０は、ロックボタン７０の係止部７４に対して後側に離れている。被係止部８０は、非係合位置に位置している。そのため、図１０のようにユーザがロックボタン７０を押したとしても、ロックボタン７０の係止部７４は前リンク８４の被係止部８０と係合せず、トリガーレバー５４はＯＮ位置にロックされない。
【００３６】
図２及び図４〜図６は、コネクタ１３が本体１０に接続された状態を示している。図７に示している状態の本体１０にコネクタ１３を接続すると、本体１０は図２に示すような状態となる。コネクタ１３が本体１０の電源接続部３０に挿入されると、後リンク８２の受圧部８６がコネクタ１３の端面によって前側に押される。受圧部８６がコネクタ１３によって前側に押されることにより、後リンク８２は、第三のバネ９０を圧縮しながら前側にスライドする。後リンク８２の前進に伴って、前リンク８４も前進する。このようにコネクタ１３の本体１０への接続と連動して、後リンク８２と前リンク８４は、一括して、待機位置から作業位置に移動する。
【００３７】
前リンク８４の被係止部８０は、トリガーレバー５４のスライドバー部６０の左側に位置する。被係止部８０とスライドバー部６０は、左右方向に並んで位置する。図４のように、被係止部８０は、ロックボタン７０の係止部７４の下側に位置している。図５は、図２の状態からトリガーレバー５４が引き上げられた状態を示している。トリガーレバー５４が上昇すると、前リンク８４の前部はトリガーレバー５４と共に上側に移動し、前リンク８４は略水平な姿勢となる。被係止部８０は係合位置に位置している。
【００３８】
図５のように、本体１０にコネクタ１３が接続された状態で、ユーザがトリガーレバー５４を上側に移動させると、モータ４２が作動する。そして、トリガーレバー５４がＯＮ位置に位置した状態でユーザがロックボタン７０を押すと、図６のように、係止部７４が被係止部８０と係合し、トリガーレバー５４はＯＮ位置にロックされる。ユーザがトリガーレバー５４とロックボタン７０の両方から指を離しても、トリガーレバー５４はＯＮ位置に保持される。
【００３９】
トリガーレバー５４がＯＮ位置にロックされた状態において、例えばユーザがコネクタ１３を本体１０から抜くと、切り替え部はトリガーレバー５４のロックを解除する。具体的には、コネクタ１３が本体１０から後側に引き抜かれると、後リンク８２と前リンク８４は第三のバネ９０によって後側にスライドする。後リンク８２と前リンク８４が後側にスライドした瞬間の状態は、図９に示した状態と同じである。前リンク８４が後退することにより、被係止部８０は係止部７４から外れる。被係止部８０は係合位置から非係合位置に移動する。被係止部８０が係止部７４から外れることによってトリガーレバー５４のロックが解除され、トリガーレバー５４は元のＯＦＦ位置に戻り、スイッチ本体５２は自動的にＯＦＦの状態となる。ロックボタン７０は、第二のバネ７２により、アンロック位置に戻る。このようにコネクタ１３が本体１０から外されることにより、トリガーレバー５４のロックが自動的に解除され、トリガーレバー５４がＯＦＦ位置に戻る。
【００４０】
以上のように本実施形態の電動工具では、コネクタ１３が電源接続部３０に接続されていない状態では、トリガーレバー５４をＯＮ位置にロックすることができない。そのため、コネクタ１３を電源接続部３０に接続する際には、トリガーレバー５４はＯＦＦ位置に位置しており、コネクタ１３の接続時における安全性が向上する。また、コネクタ１３が電源接続部３０に接続された状態であって且つトリガーレバー５４がＯＮ位置にロックされた状態において、コネクタ１３が電源接続部３０から取り外された場合には、トリガーレバー５４のロックが自動的に解除される。そのため、再びコネクタ１３を電源接続部３０に接続する際には、トリガーレバー５４はＯＦＦ位置に位置しており、コネクタ１３の接続時における安全性が向上する。
【００４１】
＜第二の実施形態＞
次に、第二の実施形態にかかる電動工具について説明する。但し、第一の実施形態と同様の構成についてはその詳細な説明を省略する。第二の実施形態の電動工具を図１５〜図２３に示している。図１５〜図１９は、本体１０にコネクタ１３が接続された状態を示している。図２０〜図２３は、コネクタ１３が本体１０から取り外された状態を示している。
【００４２】
本実施形態では、前リンク８４は上下方向に沿った回動軸線８４Ｂを有している。前リンク８４は、後リンク８２の前端部を支点として左右方向に回動する。切り替え部は、前リンク８４を付勢するための第四のバネ９２を備えている。第四のバネ９２は、捻りバネである。第四のバネ９２は、前リンク８４の後端部と後リンク８２の前端部との間に位置している。第四のバネ９２は、前リンク８４を左側に向けて付勢している。本実施形態において、切り替え部は、係止部７４を前後方向に移動させることによって第一状態と第二状態とを切り替える。切り替え部は、電源コード１２が電源接続部３０に取り付けられると、係止部７４を前側に移動させて第二状態から第一状態に切り替える。切り替え部は、電源コード１２が電源接続部３０から取り外されると、係止部７４を後側に移動させて第一状態から第二状態に切り替える。
【００４３】
トリガーレバー５４は、被係止部８０を有している。被係止部８０は、トリガーレバー５４のスライドバー部６０と一体である。前リンク８４とロックボタン７０は、一体である。ロックボタン７０は、前リンク８４の左側面から突出している。前リンク８４は、係止部７４を有している。係止部７４は、前リンク８４と一体である。係止部７４は、前リンク８４の右側面から突出している。ハウジング２０の第二の貫通孔２６は、図１７のように、前後方向に沿った孔である。トリガーレバー５４と前リンク８４は、それぞれ独立して移動する。
【００４４】
係止部７４は、ロックボタン７０と共に左右に移動するルートとして、第一ルートと第二ルートとを有している。第一ルートは、第二ルートから前側に離れている。切り替え部は、コネクタ１３の本体１０への着脱動作と連動して、係止部７４を前後方向に移動させて、係止部７４のルートを切り替える。図１５のように後リンク８２と前リンク８４が作業位置に位置しているとき、係止部７４は、第一ルートに位置する。ロックボタン７０の左右方向の移動に伴って、係止部７４は、第一ルートを移動する。第一ルートとトリガーレバー５４のスライドバー部６０は、前後方向の位置が略同じである。第一ルートにおいては、ロックボタン７０がロック位置に位置した際に、係止部７４は、係合位置に位置する。係合位置は、被係止部８０と係止部７４とが互いに係合する位置である。図１９において、係止部７４は係合位置に位置している。
【００４５】
図２０のように後リンク８２と前リンク８４が待機位置に位置しているとき、係止部７４は、第二ルートに位置する。ロックボタン７０の左右方向の移動に伴って、係止部７４は、第二ルートを移動する。第二ルートは、トリガーレバー５４のスライドバー部６０よりも後側に離れている。第二ルートにおいては、ロックボタン７０がロック位置に位置した際に、係止部７４は、非係合位置に位置する。非係合位置は、被係止部８０と係止部７４とが互いに係合しない位置である。非係合位置は、係合位置よりも後側に離れている。図２３において、係止部７４は非係合位置に位置していて、係止部７４は、被係止部８０に対して後側に離れている。このように、切り替え部は、コネクタ１３が電源接続部３０に取り付けられた状態では、係止部７４を第一ルートに位置させ、コネクタ１３が電源接続部３０から取り外された状態では、係止部７４を第二ルートに位置させる。
【００４６】
前リンク８４は、通常は、図１５〜図１７のように、第四のバネ９２によって左側に回動した状態となっている。前リンク８４は、後リンク８２に対して左側に傾斜している。前リンク８４及びロックボタン７０は、ハウジング２０に当接している。コネクタ１３が本体１０に接続された状態で、トリガーレバー５４を引き上げてＯＮ位置に位置させたうえでロックボタン７０を押すと、図１８及び図１９のようにトリガーレバー５４はＯＮ位置にロックされる。ロックボタン７０が押されると、前リンク８４は右側に向けて回動し、前リンク８４と後リンク８２は前後方向に一直線上に並んだ状態となる。係止部７４は、係合位置に位置する。そのため、係止部７４は被係止部８０に係合し、トリガーレバー５４はＯＮ位置にロックされる。
【００４７】
本体１０からコネクタ１３が取り外されると、図２０〜図２２のように前リンク８４と後リンク８２が後側に移動して待機位置に位置する。前リンク８４が後退することで、ロックボタン７０及び係止部７４は後側に移動する。本体１０からコネクタ１３が取り外された状態では、係止部７４は、トリガーレバー５４のスライドバー部６０及び被係止部８０に対して後側に離れている。その状態でロックボタン７０が押されると図２３のように前リンク８４は右側に回動する。前リンク８４はトリガーレバー５４のスライドバー部６０に当接し、スライドバー部６０が前リンク８４の回動を止める。係止部７４は、被係止部８０に対して後側に離れた非係合位置に位置する。そのため、係止部７４は被係止部８０に係合せず、トリガーレバー５４はＯＮ位置にロックされない。
【００４８】
一方、図１８及び図１９のようにトリガーレバー５４がＯＮ位置にロックされた状態において、例えば仮にユーザがコネクタ１３を本体１０から取り外すと、切り替え部はトリガーレバー５４のロックを解除する。コネクタ１３が本体１０から後側に引き抜かれると、後リンク８２と前リンク８４は第三のバネ９０によって後側にスライドする。後リンク８２と前リンク８４が後側にスライドした瞬間の状態は、図２３に示した状態と同じである。前リンク８４が後退することにより、被係止部８０は係合位置から非係合位置に移動する。被係止部８０の後退により、被係止部８０は係止部７４から後側に離れ、被係止部８０と係止部７４との係合状態が解除される。トリガーレバー５４は第一のバネ５６によって自動的に元のＯＦＦ位置に戻り、スイッチ本体５２は自動的にＯＦＦの状態となる。前リンク８４は、第四のバネ９２により、左側に回動し、ロックボタン７０はアンロック位置に戻る。このようにコネクタ１３を本体１０から外すことにより、トリガーレバー５４のロックが自動的に解除され、トリガーレバー５４はＯＦＦ位置に戻る。
【００４９】
以上のように本実施形態の電動工具では、コネクタ１３が電源接続部３０に接続されていない状態では、トリガーレバー５４をＯＮ位置にロックすることができない。そのため、コネクタ１３を電源接続部３０に接続する際には、トリガーレバー５４はＯＦＦ位置に位置しており、コネクタ１３の接続時における安全性が向上する。また、コネクタ１３が電源接続部３０に接続された状態であって且つトリガーレバー５４がＯＮ位置にロックされた状態において、コネクタ１３が電源接続部３０から取り外された場合には、トリガーレバー５４のロックが自動的に解除される。そのため、再びコネクタ１３を電源接続部３０に接続する際には、トリガーレバー５４はＯＦＦ位置に位置しており、コネクタ１３の接続時における安全性が向上する。
【００５０】
尚、本実施形態においては、係止部７４がロックボタン７０と一体であったが、係止部７４がロックボタン７０と別体であってもよい。係止部７４と前リンク８４が一体であって、係止部７４とロックボタン７０とが互いに別体であってもよい。
【００５１】
尚、トリガーレバー５４は、上下方向に対して傾斜した方向に沿って移動してもよい。トリガーレバー５４の移動する方向は任意である。第一軸方向は、トリガーレバー５４が移動する方向である。ロックボタン７０は、左右方向に対して傾斜した方向に沿って移動してもよい。ロックボタン７０は、第二軸方向に対して傾斜した方向に沿って移動してもよい。ロックボタン７０の移動は、第二軸方向の成分を有していればよい。非係合位置は、係合位置に対して、前後方向に対して傾斜した方向に離れていてもよい。非係合位置は、係合位置に対して、第三軸方向の成分を有して離れていればよい。
【００５２】
＜第三の実施形態＞
次に、第三の実施形態にかかる電動工具について説明する。但し、上記実施形態と同様の構成についてはその詳細な説明を省略する。第三の実施形態の電動工具を図２４〜図２９に示している。図２４〜図２７は、本体１０にコネクタ１３が接続された状態を示している。図２８及び図２９は、本体１０からコネクタ１３が取り外された状態を示している。本実施形態の電動工具は、第一の実施形態の電動工具とは、前リンク８４及びトリガーレバー５４が異なる。トリガーレバー５４のスライドバー部６０は、被係止部８０を有している。被係止部８０は、スライドバー部６０と一体である。前リンク８４はスライドバー部６０まで延びていない。前リンク８４の前端部はスライドバー部６０から後側に離れている。切り替え部は、前リンク８４を付勢するための第四のバネ９２を備えている。第四のバネ９２は、前リンク８４の後端部と後リンク８２の前端部との間に位置している。第四のバネ９２は、前リンク８４を下側に向けて付勢している。レバー本体部５８は、前リンク８４を上側に押すための押圧突起１００を有している。押圧突起１００は、レバー本体部５８の上面の後部に位置している。レバー本体部５８の上面は、レバー本体部５８の内面である。押圧突起１００は、レバー本体部５８の上面から上側に突出している。
【００５３】
図２８は、本体１０からコネクタ１３が取り外された状態を示している。前リンク８４と後リンク８２は待機位置に位置している。図２８のようにトリガーレバー５４がＯＦＦ位置に位置しているとき、前リンク８４はハウジング２０に当接している。ハウジング２０が前リンク８４の下側への回動を阻止している。前リンク８４の前端部は、トリガーレバー５４のレバー本体部５８よりも後側に位置している。そのため、図２９のようにトリガーレバー５４が引き上げられたとき、レバー本体部５８は前リンク８４に接触しない。図２９の状態でロックボタン７０が押されると、ロックボタン７０の係止部７４がトリガーレバー５４の被係止部８０に係合し、トリガーレバー５４はＯＮ位置にロックされる。その状態でユーザがコネクタ１３を本体１０に接続しようと試みると、コネクタ１３が後リンク８２の受圧部８６を押し、前リンク８４と後リンク８２は前側に押される。前リンク８４の前端部の前方にはトリガーレバー５４のレバー本体部５８が位置している。そのため、前リンク８４が前側に押されると、前リンク８４の前端部がレバー本体部５８に当接し、前リンク８４は前側には移動できない。このように、トリガーレバー５４がＯＮ位置にロックされた状態では、ユーザはコネクタ１３を本体１０に接続することができない。
【００５４】
一方、図２８に示したように、トリガーレバー５４がＯＦＦ位置に位置する状態では、ユーザはコネクタ１３を本体１０に接続することができる。図２４は、本体１０にコネクタ１３が接続された状態を示している。コネクタ１３が本体１０に接続される際に、前リンク８４と後リンク８２はコネクタ１３によって前側に押される。前リンク８４と後リンク８２は前進して作業位置に位置する。トリガーレバー５４がＯＦＦ位置に位置しているので、前リンク８４は、トリガーレバー５４のレバー本体部５８によって邪魔されることはなく、作業位置に前進できる。前リンク８４の前部はレバー本体部５８の上側に位置する。レバー本体部５８の押圧突起１００は、前リンク８４から下側に離れている。図２５のように、トリガーレバー５４がＯＦＦ位置にあるため、被係止部８０は係止部７４よりも下側に位置していて、被係止部８０と係止部７４は互いに係合していない。
【００５５】
図２６は、図２４の状態からトリガーレバー５４が引き上げられた状態を示している。トリガーレバー５４が引き上げられると、レバー本体部５８の押圧突起１００が前リンク８４の前部を上側に向けて押す。そのため、前リンク８４は、第四のバネ９２の付勢力に抗して上側に回動する。第四のバネ９２により、前リンク８４とレバー本体部５８の押圧突起１００との当接状態が維持される。トリガーレバー５４がＯＮ位置に位置する状態でロックボタン７０が押されると、図２７のようにロックボタン７０の係止部７４がトリガーレバー５４の被係止部８０に係合し、トリガーレバー５４はＯＮ位置にロックされる。
【００５６】
図２６のようにトリガーレバー５４がＯＮ位置にロックされた状態において、仮にコネクタ１３が本体１０から取り外されると、前リンク８４と後リンク８２は作業位置から待機位置に後退する。その状態は、図２９に示した状態と同じである。トリガーレバー５４がＯＮ位置にロックされた状態のままユーザがコネクタ１３を本体１０に再び接続しようとしても、前リンク８４の前進がレバー本体部５８によって阻止され、コネクタ１３を本体１０に接続することができない。
【００５７】
＜第四の実施形態＞
次に、第四の実施形態にかかる電動工具について説明する。但し、上記実施形態と同様の構成についてはその詳細な説明を省略する。第四の実施形態の電動工具を図３０及び図３１に示している。本実施形態の電動工具は、電力供給体として、バッテリパック１２０を備えている。本体１０の電源接続部３０には、バッテリパック１２０が装着される。図３０は、電源接続部３０からバッテリパック１２０が取り外された状態を示している。図３１は、電源接続部３０にバッテリパック１２０が取り付けられた状態を示している。バッテリパック１２０は電源接続部３０にスライドしながら取り付けられる。バッテリパック１２０のスライド方向は、前後方向に対して上下方向に傾斜した方向である。但し、バッテリパック１２０の取付方向は任意である。バッテリパック１２０が電源接続部３０に取り付けられる際には、バッテリパック１２０は、斜め前方に向けて徐々に上昇される。バッテリパック１２０が電源接続部３０から取り外される際には、バッテリパック１２０は、斜め後方に向けて徐々に下降される。
【００５８】
後リンク８２の受圧部８６は、電源接続部３０から後側に突出している。バッテリパック１２０が電源接続部３０に取り付けられる際に、後リンク８２の受圧部８６はバッテリパック１２０によって前側に押され、後リンク８２は前側にスライドする。後リンク８２と前リンク８４は待機位置から作業位置に移動する。バッテリパック１２０を電源接続部３０から取り外すと、後リンク８２は第三のバネ９０によって後側にスライドする。後リンク８２と前リンク８４は待機位置に戻る。
【００５９】
＜第五の実施形態＞
次に、第五の実施形態にかかる電動工具について説明する。但し、上記実施形態と同様の構成についてはその詳細な説明を省略する。第五の実施形態の電動工具を図３２〜図３６に示している。本実施形態の電動工具は、上記実施形態の切り替え部を備えていない。本実施形態の電動工具は、上記実施形態のトリガースイッチに代えて、トグルスイッチを備えている。トグルスイッチは、スイッチ本体５２とレバー１１０とを備えている。スイッチ本体５２は、図３４のように、ハウジング２０の把持部２２の後端部に収容されている。スイッチ本体５２は、電源接続部３０の上側に位置している。電源接続部３０は、把持部２２の左右方向の中央に位置している。トグルスイッチは、把持部２２の左右方向の中央に対して右側にオフセットされている。そのため、トグルスイッチは、電源接続部３０よりも若干右側に離れている。レバー１１０は、把持部２２の後端面の後側に位置している。レバー１１０は、把持部２２に収容されておらず、把持部２２の外部に露出している。レバー１１０は、把持部２２の後端面から後側に向けて突出している。
【００６０】
レバー１１０は、第一端部と第二端部とを有している。レバー１１０の第一端部は前端部であり、レバー１１０の第二端部は後端部である。レバー１１０の前端部がスイッチ本体５２に支持されている。レバー１１０は、レバー１１０の前端部を支点として回動する。レバー１１０の回動方向は左右方向である。レバー１１０は、ＯＮ位置とＯＦＦ位置との間を回動する。ＯＮ位置は、スイッチ本体５２がＯＮの状態となる位置であり、ＯＦＦ位置は、スイッチ本体５２がＯＦＦの状態となる位置である。図３２〜図３４のように、レバー１１０が右側に回動すると、レバー１１０はＯＦＦ位置に位置する。図３５及び図３６のように、レバー１１０が左側に回動すると、レバー１１０はＯＮ位置に位置する。但し、ＯＮ位置とＯＦＦ位置が左右逆であってもよい。レバー１１０がＯＦＦ位置に位置すると、レバー１１０の姿勢は、前後方向に対して右側に傾斜した姿勢となる。レバー１１０がＯＮ位置に位置すると、レバー１１０の姿勢は、前後方向に対して左側に傾斜した姿勢となる。このようにＯＮ位置におけるレバー１１０の姿勢と、ＯＦＦ位置におけるレバー１１０の姿勢とは、互いに逆向きである。
【００６１】
レバー１１０は、後端部に、上下方向に延びるアーム部１１２を有している。レバー１１０は、コネクタ１３が電源接続部３０に挿入されることを阻止するためのガード部を有している。本実施形態において、アーム部１１２の下端部１１２Ａがガード部である。図３２のように、レバー１１０がＯＦＦ位置に位置しているとき、アーム部１１２の下端部１１２Ａは、電源接続部３０の開口部３１の第一の拡大部３２に対して、右側に離れている。そのため、コネクタ１３を電源接続部３０の開口部３１に差し込むことができる。コネクタ１３の第一及び第二の係合凸部１５，１６は、それぞれ電源接続部３０の開口部３１の第一及び第二の拡大部３２，３３に係合する。図３５のように、レバー１１０がＯＮ位置に位置しているとき、アーム部１１２の下端部１１２Ａは、電源接続部３０の開口部３１の第一の拡大部３２の直ぐ後側に位置している。アーム部１１２の下端部１１２Ａと電源接続部３０の開口部３１の第一の拡大部３２は、互いに前後に対向している。そのため、コネクタ１３を電源接続部３０の開口部３１に差し込むことができない。アーム部１１２及びアーム部１１２の下端部１１２Ａは、ＯＮ−ＯＦＦ切り替えの際に、操作される部位である。尚、コネクタ１３が電源接続部３０に挿入された状態では、レバー１１０はＯＮ位置とＯＦＦ位置の両方に位置することができる。
【００６２】
＜第六の実施形態＞
次に、第六の実施形態にかかる電動工具について説明する。但し、上記実施形態と同様の構成についてはその詳細な説明を省略する。第六の実施形態の電動工具を図３７及び図３８に示している。本実施形態の電動工具は、第五の実施形態のトグルスイッチに代えて、スライドスイッチを備えている。スライドスイッチは、スイッチ本体５２とレバー１１０とを備えている。レバー１１０は、ＯＮ位置とＯＦＦ位置との間をスライドする。レバー１１０のスライド方向は、左右方向である。右側の位置がＯＦＦ位置であり、左側の位置がＯＮ位置である。
【００６３】
図３７のように、レバー１１０がＯＦＦ位置に位置しているとき、アーム部１１２の下端部１１２Ａは、電源接続部３０の開口部３１の第一の拡大部３２に対して、右側に離れている。そのため、コネクタ１３を電源接続部３０の開口部３１に差し込むことができる。図３８のように、レバー１１０がＯＮ位置に位置しているとき、アーム部１１２の下端部１１２Ａは、電源接続部３０の開口部３１の第一の拡大部３２の直ぐ後側に位置している。アーム部１１２の下端部１１２Ａと電源接続部３０の開口部３１の第一の拡大部３２は、互いに前後に対向している。そのため、コネクタ１３を電源接続部３０の開口部３１に差し込むことができない。
【符号の説明】
【００６４】
１０    本体
１２    電源コード（電力供給体）
１３    コネクタ
１４    メス側の端子
１５    第一の係合凸部
１６    第二の係合凸部
２０    ハウジング
２１    ヘッド部
２２    把持部
２４    第一の貫通孔
２６    第二の貫通孔
３０    電源接続部
３１    開口部
３２    第一の拡大部
３３    第二の拡大部
３４    オス側の端子
３５    端子ホルダ
３６    第一の係合溝
３６Ａ  第一端部
３６Ｂ  第二端部
３７    第二の係合溝
３７Ａ  第一端部
３７Ｂ  第二端部
４０    研磨パッド
４２    モータ
４３    モータシャフト
４４    伝達機構
４６    主軸
５２    スイッチ本体
５４    トリガーレバー（第一操作部）
５６    第一のバネ（付勢部材）
５８    レバー本体部
６０    スライドバー部
６４    凹部
７０    ロックボタン（第二操作部）
７２    第二のバネ
７４    係止部
８０    被係止部
８２    後リンク（切り替え部、第一リンク）
８４    前リンク（切り替え部、第二リンク）
８４Ａ  回動軸線
８４Ｂ  回動軸線
８６    受圧部
８８    バネ受け用突部
９０    第三のバネ（リンク用の付勢部材）
９２    第四のバネ
１００    押圧突起
１１０    レバー
１１２    アーム部
１１２Ａ  下端部
１２０    バッテリパック（電力供給体）
【図１】
2020032483.tif 000003
【図２】
2020032483.tif 000004
【図３】
2020032483.tif 000005
【図４】
2020032483.tif 000006
【図５】
2020032483.tif 000007
【図６】
2020032483.tif 000008
【図７】
2020032483.tif 000009
【図８】
2020032483.tif 000010
【図９】
2020032483.tif 000011
【図１０】
2020032483.tif 000012
【図１１】
2020032483.tif 000013
【図１２】
2020032483.tif 000014
【図１３】
2020032483.tif 000015
【図１４】
2020032483.tif 000016
【図１５】
2020032483.tif 000017
【図１６】
2020032483.tif 000018
【図１７】
2020032483.tif 000019
【図１８】
2020032483.tif 000020
【図１９】
2020032483.tif 000021
【図２０】
2020032483.tif 000022
【図２１】
2020032483.tif 000023
【図２２】
2020032483.tif 000024
【図２３】
2020032483.tif 000025
【図２４】
2020032483.tif 000026
【図２５】
2020032483.tif 000027
【図２６】
2020032483.tif 000028
【図２７】
2020032483.tif 000029
【図２８】
2020032483.tif 000030
【図２９】
2020032483.tif 000031
【図３０】
2020032483.tif 000032
【図３１】
2020032483.tif 000033
【図３２】
2020032483.tif 000034
【図３３】
2020032483.tif 000035
【図３４】
2020032483.tif 000036
【図３５】
2020032483.tif 000037
【図３６】
2020032483.tif 000038
【図３７】
2020032483.tif 000039
【図３８】
2020032483.tif 000040